(57)【要約】      （修正有）【課題】端末データインターフェースの利用率を向上させるインターフェース拡張装置を提供する。【解決手段】端末接続用のメインインターフェースモジュール、第１のデータインターフェースモジュール、データ伝送制御モジュール、第２のデータインターフェースモジュール及び映像信号インターフェースモジュールを含み、被接続装置が第１のデータインターフェースモジュールにより接続される場合、第１のデータインターフェースモジュールとメインインターフェースモジュールとがデータ伝送の経路を構成して、被接続装置が端末とのデータ伝送を行い、被接続装置が第２のデータインターフェースモジュールにより接続される場合、データ伝送制御モジュールは被接続装置と端末との間のデータ伝送を制御し、被接続装置が映像信号インターフェースモジュールにより接続される場合、データ伝送制御モジュールは端末の送信したターゲット表示情報を被接続装置に表示させる。【選択図】図１
0003227478.tif 000002
【実用新案登録請求の範囲】
【請求項１】
端末への接続用のデータインターフェースを被接続装置に提供するためのインターフェース拡張装置であって、
前記端末への接続用のメインインターフェースモジュール、第１のデータインターフェースモジュール、データ伝送制御モジュール、第２のデータインターフェースモジュール及び映像信号インターフェースモジュールを含み、
前記第１のデータインターフェースモジュールの信号伝送端は前記メインインターフェースモジュールの第１のアダプタ端子に接続し、前記データ伝送制御モジュールの第１のデータ伝送端は前記メインインターフェースモジュールの第２のアダプタ端子に接続し、前記第２のデータインターフェースモジュールのデータ端は前記データ伝送制御モジュールの第２のデータ伝送端に接続し、前記映像信号インターフェースモジュールの信号端は前記データ伝送制御モジュールの第３のデータ伝送端に接続し、
前記被接続装置が前記第１のデータインターフェースモジュールによって前記インターフェース拡張装置に接続される場合、前記第１のデータインターフェースモジュールと前記メインインターフェースモジュールとがデータ伝送の経路を構成して、前記被接続装置が前記データ伝送の経路によって前記端末とのデータ伝送を行い、
前記被接続装置が前記第２のデータインターフェースモジュールによって前記インターフェース拡張装置に接続される場合、前記データ伝送制御モジュールは前記被接続装置と前記端末との間のデータ伝送を制御し、
前記被接続装置が前記映像信号インターフェースモジュールによって前記インターフェース拡張装置に接続される場合、前記データ伝送制御モジュールは前記端末の送信したターゲット表示情報を受信して、前記被接続装置に送信して表示させることを特徴とするインターフェース拡張装置。
【請求項２】
前記インターフェース拡張装置は、第３のデータインターフェースモジュール及びメモリーカード読み書きモジュールを更に含み、
前記第３のデータインターフェースモジュールが前記データ伝送制御モジュールの第４のデータ伝送端に接続し、前記メモリーカード読み書きモジュールが前記データ伝送制御モジュールのメモリーカード読み書き端に接続し、
前記被接続装置がメモリーカードである場合、前記メモリーカードは前記メモリーカード読み書きモジュールによって前記インターフェース拡張装置に接続され、前記端末は前記データ伝送制御モジュールによって前記メモリーカードに対してデータの読み書きを行うことを特徴とする請求項１に記載のインターフェース拡張装置。
【請求項３】
前記メインインターフェースモジュールは、第１のインターフェースユニット及び第２のインターフェースユニットを含み、
前記第１のインターフェースユニットの装置接続端は前記メインインターフェースモジュールの第１のアダプタ端子であり、前記第２のインターフェースユニットの装置接続端は前記メインインターフェースモジュールの第２のアダプタ端子であることを特徴とする請求項１に記載のインターフェース拡張装置。
【請求項４】
前記データ伝送制御モジュールは、ＵＳＢ制御ユニット、ＵＳＢ変換ユニット、メモリーカード変換ユニット、モード制御ユニット及びモード変換ユニットを含み、
前記ＵＳＢ制御ユニットの第１のデータ端、前記モード制御ユニットの第１のデータ端及び前記モード変換ユニットの第１のデータ端は、前記データ伝送制御モジュールの第１のデータ伝送端を構成し、
前記ＵＳＢ制御ユニットの第２のデータ端は、前記データ伝送制御モジュールの第２のデータ伝送端であり、
前記ＵＳＢ制御ユニットの第３のデータ端は前記モード制御ユニットの第２のデータ端に接続し、前記モード制御ユニットの第３のデータ端は前記モード変換ユニットの第２のデータ端に接続し、前記モード変換ユニットの第３のデータ端は前記データ伝送制御モジュールの第３のデータ伝送端であり、
前記ＵＳＢ制御ユニットの第４のデータ端は前記ＵＳＢ変換ユニットの第１の伝送端に接続し、前記ＵＳＢ変換ユニットの第２の伝送端は前記データ伝送制御モジュールの第４のデータ伝送端であり、
前記ＵＳＢ制御ユニットの第５のデータ端は前記メモリーカード変換ユニットの信号伝送端に接続し、前記メモリーカード変換ユニットは複数のデータ伝送端を含み、前記複数のデータ伝送端は前記データ伝送制御モジュールのメモリーカード読み書き端を構成することを特徴とする請求項２に記載のインターフェース拡張装置。
【請求項５】
前記映像信号インターフェースモジュールは、ＶＧＡインターフェース、ＤＶＩインターフェース、ＨＤＭＩインターフェース、ＭｉｎｉＤＰインターフェース又はＤＰインターフェースを含むことを特徴とする請求項１に記載のインターフェース拡張装置。
【請求項６】
前記第１のデータインターフェースモジュールはＴｙｐｅ-Ｃメス変換アダプタ又はＬｉｇｈｔｎｉｎｇメス変換アダプタであり、前記第２のデータインターフェースモジュールはＵＳＢメス変換アダプタであることを特徴とする請求項１に記載のインターフェース拡張装置。
【請求項７】
前記第３のデータインターフェースモジュールはＴｙｐｅ-Ｃメス変換アダプタ又はＬｉｇｈｔｎｉｎｇメス変換アダプタであることを特徴とする請求項２に記載のインターフェース拡張装置。
【請求項８】
前記第１のインターフェースユニットはＴｙｐｅ-Ｃオス変換アダプタ又はＵＳＢオス変換アダプタであることを特徴とする請求項３に記載のインターフェース拡張装置。
【請求項９】
前記第２のインターフェースユニットはＴｙｐｅ-Ｃオス変換アダプタ又はＵＳＢオス変換アダプタであることを特徴とする請求項３に記載のインターフェース拡張装置。
【考案の詳細な説明】
【技術分野】
【０００１】
本考案は電子技術分野に関し、特にインターフェース拡張装置に関する。
【背景技術】
【０００２】
端末（例えば、携帯電話、タブレットパソコン、コンピュータ等）の普及に伴い、端末は、人々の生活や仕事に不可欠な装置になっている。
【０００３】
端末と他の装置との有線接続を実現させるために、従来の端末には、例えば、イヤホーンインターフェース、ＵＳＢインターフェース又はＴｙｐｅ-Ｃインターフェースのようなデータインターフェースが設けられている。しかしながら、端末は、サイズに限定があり、提供されるデータインターフェースの数も少なく、且つ配置の位置もコンパクトにする必要がある。データインターフェースにある被接続装置が接続されると、この装置の体積又は接続箇所の現状が大きいので、端末は、他の被接続装置を接続するための他のインターフェースを提供できなくなる。
【０００４】
以上により、従来の端末には、データインターフェースの使用率が低いという課題がある。
【考案の概要】
【考案が解決しようとする課題】
【０００５】
本考案の実施例は、インターフェース拡張装置を提供することを目的とし、従来の端末におけるデータインターフェースの使用率が低いという課題を解決することを旨とする。
【課題を解決するための手段】
【０００６】
本考案は、端末への接続用のデータインターフェースを被接続装置に提供するためのインターフェース拡張装置であって、前記端末への接続用のメインインターフェースモジュール、第１のデータインターフェースモジュール、データ伝送制御モジュール、第２のデータインターフェースモジュール及び映像信号インターフェースモジュールを含む。
【０００７】
前記第１のデータインターフェースモジュールの信号伝送端は前記メインインターフェースモジュールの第１のアダプタ端子に接続し、前記データ伝送制御モジュールの第１のデータ伝送端は前記メインインターフェースモジュールの第２のアダプタ端子に接続し、前記第２のデータインターフェースモジュールのデータ端は前記データ伝送制御モジュールの第２のデータ伝送端に接続し、前記映像信号インターフェースモジュール信号端は前記データ伝送制御モジュールの第３のデータ伝送端に接続し、
前記被接続装置が前記第１のデータインターフェースモジュールによって前記インターフェース拡張装置に接続される場合、前記第１のデータインターフェースモジュールと前記メインインターフェースモジュールとがデータ伝送の経路を構成して、前記被接続装置が前記データ伝送の経路によって前記端末とのデータ伝送を行い、
前記被接続装置が前記第２のデータインターフェースモジュールによって前記インターフェース拡張装置に接続される場合、前記データ伝送制御モジュールは前記被接続装置と前記端末との間のデータ伝送を制御し、
前記被接続装置が前記映像信号インターフェースモジュールによって前記インターフェース拡張装置に接続される場合、前記データ伝送制御モジュールは前記端末の送信したターゲット表示情報を受信して、前記被接続装置に送信して表示させるインターフェース拡張装置を提供することを目的とする。
【考案の効果】
【０００８】
本考案は、端末への接続用のデータインターフェースを被接続装置に提供するためのインターフェース拡張装置であって、端末への接続用のメインインターフェースモジュール、第１のデータインターフェースモジュール、データ伝送制御モジュール、第２のデータインターフェースモジュール及び映像信号インターフェースモジュールを含み、被接続装置が第１のデータインターフェースモジュールによってインターフェース拡張装置に接続される場合、第１のデータインターフェースモジュールとメインインターフェースモジュールとがデータ伝送の経路を構成して、被接続装置がデータ伝送の経路によって端末とのデータ伝送を行い、被接続装置が第２のデータインターフェースモジュールによってインターフェース拡張装置に接続される場合、データ伝送制御モジュールは被接続装置と端末との間のデータ伝送を制御し、被接続装置が映像信号インターフェースモジュールによってインターフェース拡張装置に接続される場合、データ伝送制御モジュールは端末からの送信したターゲット表示情報を受信して、被接続装置に送信して表示させる。端末データインターフェースの使用率を向上させる。
【図面の簡単な説明】
【０００９】
【図１】本考案の実施例によるインターフェース拡張装置の構造概略図である。
【図２】本考案の実施例によるインターフェース拡張装置の具体的な構造概略図である。
【考案を実施するための形態】
【００１０】
本考案の目的、技術的解決手段及び利点をより明らかにするために、以下、図面及び実施例に合わせて本考案をより詳細に説明する。ここで説明される具体的な実施例は、本考案を解釈するためのものに過ぎず、本考案を限定するためのものではないことを理解すべきである。
【００１１】
本考案の実施例は、インターフェース拡張装置を提供することを目的とし、従来の端末におけるデータインターフェースの使用率が低いという課題を解決することを旨とする。
【００１２】
以下、具体的な実施例に合わせて本考案の実現について詳細に説明する。
【００１３】
図１に、本考案の実施例の１つのインターフェース拡張装置の構造を示す。説明を容易にするために、本考案の実施例に関わる部分のみを示す。
【００１４】
説明すべきことは、本考案によるインターフェース拡張装置１００は、端末１２０への接続用のデータインターフェースを被接続装置１１０に提供することに用いられることである。
【００１５】
図１に示すように、インターフェース拡張装置１００は、端末１２０への接続用のメインインターフェースモジュール１０、第１のデータインターフェースモジュール２０、データ伝送制御モジュール３０、第２のデータインターフェースモジュール４０及び映像信号インターフェースモジュール５０を含む。
【００１６】
第１のデータインターフェースモジュール２０の信号伝送端はメインインターフェースモジュール１０の第１のアダプタ端子に接続し、データ伝送制御モジュール３０の第１のデータ伝送端はメインインターフェースモジュール１０の第２のアダプタ端子に接続し、第２のデータインターフェースモジュール４０のデータ端はデータ伝送制御モジュール３０の第２のデータ伝送端に接続し、映像信号インターフェースモジュール５０の信号端はデータ伝送制御モジュール３０の第３のデータ伝送端に接続する。
【００１７】
被接続装置１１０が第１のデータインターフェースモジュール２０によってインターフェース拡張装置１００に接続される場合、第１のデータインターフェースモジュール２０とメインインターフェースモジュール１０とがデータ伝送の経路を構成して、被接続装置１１０がデータ伝送の経路によって端末とのデータ伝送を行う。
【００１８】
被接続装置１１０が第２のデータインターフェースモジュール４０によってインターフェース拡張装置１００に接続される場合、データ伝送制御モジュール３０は被接続装置１１０と端末との間のデータ伝送を制御する。
【００１９】
被接続装置１１０が映像信号インターフェースモジュール５０によってインターフェース拡張装置１００に接続される場合、データ伝送制御モジュール３０は端末の送信したターゲット表示情報を受信して、被接続装置１１０に送信して表示させる。
【００２０】
説明すべきことは、本実施例において、端末１２０は、携帯電話、タブレットパソコン又はコンピュータであってよいことである。
【００２１】
考案の全ての実施例において、被接続装置１１０が第１のデータインターフェースモジュール２０に接続されると、第１のデータインターフェースモジュール２０は、メインインターフェースモジュール１０によって端末１２０と直接データ伝送を行う。
【００２２】
被接続装置１１０が第２のデータインターフェースモジュール４０、又は映像信号インターフェースモジュール５０に接続される場合、データ伝送制御モジュール３０によって被接続装置１１０と端末１２０との間のデータ伝送を制御する必要がある点で、第１のデータインターフェースモジュール２０と異なっている。
【００２３】
理解すべきことは、被接続装置は、例えばＵＳＢメモリー、携帯電話又はディスプレイのような、有線接続による端末１２０とのデータ交換が可能である装置であることである。
【００２４】
実際の適用において、第１のデータインターフェースモジュール２０、第２のデータインターフェースモジュール４０及び映像信号インターフェースモジュール５０は、同時に異なる被接続装置に接続されて、端末とのデータ交換を同時に行ってもよい。
【００２５】
図１に示すように、インターフェース拡張装置１００は、第３のデータインターフェースモジュール６０及びメモリーカード読み書きモジュール７０を更に含む。
【００２６】
第３のデータインターフェースモジュール６０はデータ伝送制御モジュール３０の第４のデータ伝送端に接続し、メモリーカード読み書きモジュール７０はデータ伝送制御モジュール３０のメモリーカード読み書き端に接続する。
【００２７】
被接続装置１１０がメモリーカードである場合、メモリーカードはメモリーカード読み書きモジュール７０によってインターフェース拡張装置１００に接続され、端末１２０はデータ伝送制御モジュール３０によってメモリーカードに対してデータの読み書きを行う。
【００２８】
図２に、本考案の実施例の１つのインターフェース拡張装置の具体的な構造を示す。図２に示すように、メインインターフェースモジュール１０は、第１のインターフェースユニット１１及び第２のインターフェースユニット１２を含む。
【００２９】
第１のインターフェースユニット１１の装置接続端はメインインターフェースモジュール１０の第１のアダプタ端子であり、第２のインターフェースユニット１２の装置接続端はメインインターフェースモジュール１０の第２のアダプタ端子である。
【００３０】
説明すべきことは、第１のデータインターフェースモジュール２０は第１のインターフェースユニット１１に接続することである。被接続装置１１０が第１のデータインターフェースモジュール２０に接続される場合、第１のデータインターフェースモジュール２０と第１のインターフェースユニット１１との間にデータ伝送の経路が形成され、被接続装置１１０と端末１２０との間のデータ伝送に物性基礎を提供する。
【００３１】
図２に示すように、データ伝送制御モジュール３０は、ＵＳＢ制御ユニット３１、ＵＳＢ変換ユニット３２、メモリーカード変換ユニット３３、モード制御ユニット３４及びモード変換ユニット３５を含む。
【００３２】
ＵＳＢ制御ユニット３１の第１のデータ端、モード制御ユニット３４の第１のデータ端及びモード変換ユニット３５の第１のデータ端は、データ伝送制御モジュール３０の第１のデータ伝送端を構成する。
【００３３】
ＵＳＢ制御ユニット３１の第２のデータ端は、データ伝送制御モジュール３０の第２のデータ伝送端である。
【００３４】
ＵＳＢ制御ユニット３１の第３のデータ端はモード制御ユニット３４の第２のデータ端に接続し、モード制御ユニット３４の第３のデータ端はモード変換ユニット３５の第２のデータ端に接続し、モード変換ユニット３５の第３のデータ端はデータ伝送制御モジュール３０の第３のデータ伝送端である。
【００３５】
ＵＳＢ制御ユニット３１の第４のデータ端はＵＳＢ変換ユニット３２の第１の伝送端に接続し、ＵＳＢ変換ユニット３２の第２の伝送端はデータ伝送制御モジュール３０の第４のデータ伝送端である。
【００３６】
ＵＳＢ制御ユニット３１の第５のデータ端はメモリーカード変換ユニット３３の信号伝送端に接続する。メモリーカード変換ユニット３３は、複数のデータ伝送端を含む。複数のデータ伝送端は、データ伝送制御モジュール３０のメモリーカード読み書き端を構成する。
【００３７】
図２に示すように、映像信号インターフェースモジュール５０は、ＶＧＡインターフェース、ＤＶＩインターフェース、ＨＤＭＩ(登録商標)インターフェース、ＭｉｎｉＤＰインターフェース又はＤＰインターフェースを含む。
【００３８】
理解すべきことは、ＶＧＡインターフェース、ＤＶＩインターフェース、ＨＤＭＩインターフェース、ＭｉｎｉＤＰインターフェース及びＤＰインターフェースの何れも、従来の映像信号インターフェースモジュールであることである。
【００３９】
例えば、被接続装置１１０は、ディスプレイである場合、映像信号インターフェースモジュール５０によってインターフェース拡張装置１００に接続し、更に端末１２０とのデータ伝送を行う。端末１２０はターゲット表示信号をモード制御ユニット３４に送信して、前記ターゲット表示信号に対してモード変換を行うようにモード変換ユニット３５をモード制御ユニット３４によって制御して、対応する表示信号をディスプレイに出力して表示させる。
【００４０】
本考案の実現可能な形態として、第１のデータインターフェースモジュール２０は、Ｔｙｐｅ-Ｃメス変換アダプタ又はＬｉｇｈｔｎｉｎｇメス変換アダプタであってよい。
【００４１】
例えば、被接続装置１１０が携帯電話であり、端末１２０がコンピュータである場合、携帯電話は、第１のデータインターフェースモジュール２０とメインインターフェースモジュールが構成するデータ伝送の経路によって直接コンピュータとデータを伝送し、又は充電を行う。
【００４２】
本考案の実現可能な形態として、第２のデータインターフェースモジュール４０は、ＵＳＢメス変換アダプタであってもよい。
【００４３】
例えば、被接続装置１１０がＵＳＢメモリーであり、端末１２０がコンピュータである場合、ＵＳＢメモリーは、第２のデータインターフェースモジュール４０によってインターフェース拡張装置１００に接続され、ＵＳＢ制御ユニット３１によってＵＳＢメモリーと端末１２０との間のデータ伝送を制御する。
【００４４】
本考案の実現可能な形態として、第３のデータインターフェースモジュールは、Ｔｙｐｅ-Ｃメス変換アダプタ又はＬｉｇｈｔｎｉｎｇメス変換アダプタである。
【００４５】
例えば、被接続装置１１０が携帯電話であり、端末１２０がコンピュータである場合、携帯電話は、第３のデータインターフェースモジュール６０によってインターフェース拡張装置１００に接続され、ＵＳＢ制御ユニット３１によって携帯電話と端末１２０との間のデータ伝送を制御し、又はＵＳＢ変換ユニット３２によって携帯電話に充電するように制御する。
【００４６】
さらに、本考案の実現可能な形態として、第１のインターフェースユニット１１は、Ｔｙｐｅ-Ｃオス変換アダプタ又はＵＳＢオス変換アダプタである。
【００４７】
さらに、本考案の実現可能な形態として、第２のインターフェースユニット１２は、Ｔｙｐｅ-Ｃオス変換アダプタ又はＵＳＢオス変換アダプタである。
【００４８】
図２に示すように、理解すべきことは、端末１２０における第１のデータ伝送インターフェース１２１と第２のデータ伝送インターフェース１２２ともＴｙｐｅ-Ｃメス変換アダプタである場合、第１のインターフェースユニット１１と第２のインターフェースユニット１２ともＴｙｐｅ-Ｃオス変換アダプタであることである。端末１２０における第１のデータ伝送インターフェース１２１と第２のデータ伝送インターフェース１２２ともＵＳＢメス変換アダプタである場合、第１のインターフェースユニット１１と第２のインターフェースユニット１２ともＵＳＢオス変換アダプタである。
【００４９】
以下、図２に合わせて、本考案のインターフェース拡張装置１００の作動原理を詳細に説明する。
【００５０】
図２に示すように、被接続装置１１０が第１のデータインターフェースモジュール２０によってインターフェース拡張装置１００に接続される場合、第１のデータインターフェースモジュール２０とメインインターフェースモジュール１０における第１のインターフェースユニット１１とがデータ伝送の経路を構成して、被接続装置１１０がデータ伝送の経路によって端末１２０と直接データ伝送を行う。
【００５１】
被接続装置１１０が第２のデータインターフェースモジュール４０によってインターフェース拡張装置１００に接続される場合、ＵＳＢ制御ユニットによって被接続装置１１０と端末１２０との間のデータ伝送を制御する。
【００５２】
被接続装置１１０が映像信号インターフェースモジュール５０によってインターフェース拡張装置１００に接続される場合、
【００５３】
データ伝送制御モジュール３０におけるモード制御ユニット３４によって端末の送信したターゲット表示情報を受信する。ターゲット表示情報にフォーマット変換を行う必要がある場合、モード変換ユニット３５によってターゲット表示情報に対してモード変換を行ってから、被接続装置１１０に送信して表示させる。ターゲット表示情報にフォーマット変換を行う必要がない場合、直接ターゲット表示情報を被接続装置１１０に送信して表示させる。
【００５４】
例えば、被接続装置１１０は、ディスプレイである場合、映像信号インターフェースモジュール５０によってインターフェース拡張装置１００に接続し、更に端末１２０とのデータ伝送を行う。モード制御ユニット３４は、被接続装置１１０が映像信号インターフェースモジュール５０に接続することを検出すると、第２のインターフェースユニット１２によって端末１２０に被接続装置１１０の説明用の情報を送信する。端末１２０がターゲット表示信号をモード変換ユニット３５に送信して、モード変換ユニット３５がターゲット信号に対して変換を行い、つまりＤＰ信号をＨＤＭＩ信号に変換してから、被接続装置１１０に出力して表示させる。
【００５５】
被接続装置１１０がメモリーカードである場合、メモリーカードはメモリーカード読み書きモジュール７０によってインターフェース拡張装置１００に接続され、端末１２０は制御指令をインターフェース拡張装置１００に送信し、更にＵＳＢ制御ユニット３１によってメモリーカード変換ユニット３３を制御することで、メモリーカードに対してデータの読み取りや書き込みを行う。
【００５６】
本考案は、端末への接続用のデータインターフェースを被接続装置に提供するためのインターフェース拡張装置であって、端末への接続用のメインインターフェースモジュール、第１のデータインターフェースモジュール、データ伝送制御モジュール、第２のデータインターフェースモジュール及び映像信号インターフェースモジュールを含み、被接続装置が第１のデータインターフェースモジュールによってインターフェース拡張装置に接続される場合、第１のデータインターフェースモジュールとメインインターフェースモジュールとがデータ伝送の経路を構成して、被接続装置がデータ伝送の経路によって端末とのデータ伝送を行い、被接続装置が第２のデータインターフェースモジュールによってインターフェース拡張装置に接続される場合、データ伝送制御モジュールは被接続装置と端末との間のデータ伝送を制御し、被接続装置が映像信号インターフェースモジュールによってインターフェース拡張装置に接続される場合、データ伝送制御モジュールは端末の送信したターゲット表示情報を受信して、被接続装置に送信して表示させるインターフェース拡張装置である。端末データインターフェースの利用率を向上させる。
【００５７】
上記は本考案の好ましい実施例に過ぎず、本考案を制限するためのものではなく、本考案の精神及び原則においてなされたあらゆる変更、等価置換及び改良等は、本考案の保護範囲に含まれるべきである。
【図１】
0003227478.tif 000003
【図２】
0003227478.tif 000004
【手続補正書】
【提出日】令和2年4月21日(2020.4.21)
【手続補正１】
【補正対象書類名】実用新案登録請求の範囲
【補正対象項目名】全文
【補正方法】変更
【補正の内容】
【実用新案登録請求の範囲】
【請求項１】
端末への接続用のデータインターフェースを被接続装置に提供するためのインターフェース拡張装置であって、
前記端末への接続用のメインインターフェースモジュール、第１のデータインターフェースモジュール、データ伝送制御モジュール、第２のデータインターフェースモジュール及び映像信号インターフェースモジュールを含み、
前記第１のデータインターフェースモジュールの信号伝送端は前記メインインターフェースモジュールの第１のアダプタ端子に接続し、前記データ伝送制御モジュールの第１のデータ伝送端は前記メインインターフェースモジュールの第２のアダプタ端子に接続し、前記第２のデータインターフェースモジュールのデータ端は前記データ伝送制御モジュールの第２のデータ伝送端に接続し、前記映像信号インターフェースモジュールの信号端は前記データ伝送制御モジュールの第３のデータ伝送端に接続し、
前記被接続装置が前記第１のデータインターフェースモジュールによって前記インターフェース拡張装置に接続される場合、前記第１のデータインターフェースモジュールと前記メインインターフェースモジュールとがデータ伝送の経路を構成して、前記被接続装置が前記データ伝送の経路によって前記端末とのデータ伝送を行い、
前記被接続装置が前記第２のデータインターフェースモジュールによって前記インターフェース拡張装置に接続される場合、前記データ伝送制御モジュールは前記被接続装置と前記端末との間のデータ伝送を制御し、
前記被接続装置が前記映像信号インターフェースモジュールによって前記インターフェース拡張装置に接続される場合、前記データ伝送制御モジュールは前記端末の送信したターゲット表示情報を受信して、前記被接続装置に送信して表示させることを特徴とするインターフェース拡張装置。
【請求項２】
前記インターフェース拡張装置は、第３のデータインターフェースモジュール及びメモリーカード読み書きモジュールを更に含み、
前記第３のデータインターフェースモジュールが前記データ伝送制御モジュールの第４のデータ伝送端に接続し、前記メモリーカード読み書きモジュールが前記データ伝送制御モジュールのメモリーカード読み書き端に接続し、
前記被接続装置がメモリーカードである場合、前記メモリーカードは前記メモリーカード読み書きモジュールによって前記インターフェース拡張装置に接続され、前記端末は前記データ伝送制御モジュールによって前記メモリーカードに対してデータの読み書きを行うことを特徴とする請求項１に記載のインターフェース拡張装置。
【請求項３】
前記メインインターフェースモジュールは、第１のインターフェースユニット及び第２のインターフェースユニットを含み、
前記第１のインターフェースユニットの装置接続端は前記メインインターフェースモジュールの第１のアダプタ端子であり、前記第２のインターフェースユニットの装置接続端は前記メインインターフェースモジュールの第２のアダプタ端子であることを特徴とする請求項１に記載のインターフェース拡張装置。
【請求項４】
前記データ伝送制御モジュールは、ＵＳＢ制御ユニット、ＵＳＢ変換ユニット、メモリーカード変換ユニット、モード制御ユニット及びモード変換ユニットを含み、
前記ＵＳＢ制御ユニットの第１のデータ端、前記モード制御ユニットの第１のデータ端及び前記モード変換ユニットの第１のデータ端は、前記データ伝送制御モジュールの第１のデータ伝送端を構成し、
前記ＵＳＢ制御ユニットの第２のデータ端は、前記データ伝送制御モジュールの第２のデータ伝送端であり、
前記ＵＳＢ制御ユニットの第３のデータ端は前記モード制御ユニットの第２のデータ端に接続し、前記モード制御ユニットの第３のデータ端は前記モード変換ユニットの第２のデータ端に接続し、前記モード変換ユニットの第３のデータ端は前記データ伝送制御モジュールの第３のデータ伝送端であり、
前記ＵＳＢ制御ユニットの第４のデータ端は前記ＵＳＢ変換ユニットの第１の伝送端に接続し、前記ＵＳＢ変換ユニットの第２の伝送端は前記データ伝送制御モジュールの第４のデータ伝送端であり、
前記ＵＳＢ制御ユニットの第５のデータ端は前記メモリーカード変換ユニットの信号伝送端に接続し、前記メモリーカード変換ユニットは複数のデータ伝送端を含み、前記複数のデータ伝送端は前記データ伝送制御モジュールのメモリーカード読み書き端を構成することを特徴とする請求項２に記載のインターフェース拡張装置。
【請求項５】
前記映像信号インターフェースモジュールは、ＶＧＡインターフェース、ＤＶＩインターフェース、ＨＤＭＩ（登録商標）インターフェース、ＭｉｎｉＤＰインターフェース又はＤＰインターフェースを含むことを特徴とする請求項１に記載のインターフェース拡張装置。
【請求項６】
前記第１のデータインターフェースモジュールはＴｙｐｅ-Ｃメス変換アダプタ又はＬｉｇｈｔｎｉｎｇメス変換アダプタであり、前記第２のデータインターフェースモジュールはＵＳＢメス変換アダプタであることを特徴とする請求項１に記載のインターフェース拡張装置。
【請求項７】
前記第３のデータインターフェースモジュールはＴｙｐｅ-Ｃメス変換アダプタ又はＬｉｇｈｔｎｉｎｇメス変換アダプタであることを特徴とする請求項２に記載のインターフェース拡張装置。
【請求項８】
前記第１のインターフェースユニットはＴｙｐｅ-Ｃオス変換アダプタ又はＵＳＢオス変換アダプタであることを特徴とする請求項３に記載のインターフェース拡張装置。
【請求項９】
前記第２のインターフェースユニットはＴｙｐｅ-Ｃオス変換アダプタ又はＵＳＢオス変換アダプタであることを特徴とする請求項３に記載のインターフェース拡張装置。